(57)【要約】本発明は、フラップ取付け具(４)、特に家具用のフラップ取付け具に関し、本体に固定可能で支持レバー(６)が回転可能に取り付けられたハウジング(５)と、回転可能に取り付けられた制御レバー(７)を有し、支持レバー(６)と制御レバー(７)は、間隔を空けた回転軸(６１、７１)を介してアタッチメント点(９)にてフラップ(３)に回転可能に接続される。アタッチメント点(９)にダンパ(９６)が配備され、フラップ(３)の開き動作時に最大開き位置に達する前に支持レバー(６)及び/又は制御レバー(７)の動作を介してダンパ(９６)が作動される。開き工程時のフラップ取付け具の取り扱いが改善される。【選択図】図５
2020525683.tif 000002
【特許請求の範囲】
【請求項１】
本体(２)上に配置される家具用のフラップ取付け具(４)であって、
支持レバー(６)が間接又は直接に回転可能に取り付けられた主本体と、回転可能に取り付けられた制御レバー(７)を備え、支持レバー(６)と制御レバー(７)は間隔を空けた回転軸(６１、７１)を介してアタッチメント(９)上のフラップ(３)で連結されるフラップ取付け具(４)において、
ダンパ(９６)がアタッチメント(９)上に配置され、該ダンパはフラップの開き動作時に最大開き位置に達する前に、支持レバー(６)及び/又は制御レバー(７)の動作を介して作動される、フラップ取付け具(４)。
【請求項２】
ダンパ(９６)は線形ダンパに構成されて、ダンパハウジング(９２)とダンパハウジング(９２)上に変位可能に保持されるピストンロッド(９３)を備えている、請求項１に記載のフラップ取付け具。
【請求項３】
ダンパ(９６)は、ばねによって延びた位置に予め張力を掛けられている、請求項１又は２に記載のフラップ取付け具。
【請求項４】
アタッチメント(９)上にガイド(９０)が設けられ、ダンパ(９６)はガイド(９０)に沿って引込み可能又は延びることが可能である、請求項１乃至３の何れかに記載のフラップ取付け具。
【請求項５】
ガイド(９０)は、ガイド要素(９１)が案内される長孔又は溝をアタッチメント(９)上に備える、請求項４に記載のフラップ取付け具。
【請求項６】
アタッチメント(９)は、ダンパ(９６)が収容されるＵ字形の鋼板を備える、請求項１乃至５の何れかに記載のフラップ取付け具。
【請求項７】
力蓄積器(２０)が設けられ、該力蓄積器はフラップ(３)の閉じ位置にて閉じ方向に予め張力を掛け、フラップ(３)の開き範囲で開き方向に予め張力を掛ける、請求項１乃至６の何れかに記載のフラップ取付け具。
【請求項８】
ダンパ(９６)は、フラップ(３)の閉じ動作中に最大閉じ位置に達する前に、支持レバー(６)及び/又は制御レバー(７)の動きを介して間接又は直接にアタッチメント(９)上で作動する、請求項１乃至７の何れかに記載のフラップ取付け具。
【請求項９】
支持レバー及び/又は制御レバー上に作動面が配置され、該作動面はダンパユニットの作動面をフラップ取付け具の所定の角度位置から押圧する、請求項１乃至８の何れかに記載のフラップ取付け具。
【請求項１０】
ダンパユニットは２つの作動面を備える、請求項９に記載のフラップ取付け具。
【請求項１１】
ダンパユニットは閉じ動作時に第１の作動面によって作動され、開き動作時に第２の作動面によって作動される、請求項１０に記載のフラップ取付け具。
【請求項１２】
ダンパ(９６)はフラップ(３)の長手方向/ピストン軸に沿って、フラップ(３)の後部と平行に配列された、請求項１乃至１１の何れかに記載のフラップ取付け具。
【請求項１３】
アタッチメントは、フラップ(３)を調整する調整具を備えた、請求項１乃至１２の何れかに記載のフラップ取付け具。
【請求項１４】
ダンパ(９６)の位置は、ダンパの動作範囲を設定すべく調整可能である、請求項１３に記載のフラップ取付け具。
【請求項１５】
支持レバー及び/又は制御レバーの少なくとも１つの作動面の位置は、ダンパ(９６)の動作範囲を設定すべく調整可能である、請求項１乃至１４の何れかに記載のフラップ取付け具。
【請求項１６】
請求項１乃至１５の何れかのフラップ取付け具(４)の少なくとも２つを介して、フラップ(３)が保持される家具本体(２)を有する家具。
【発明の詳細な説明】
【技術分野】
【０００１】
本発明は、フラップ取付け具、特に家具用のフラップ取付け具に関し、本体に固定可能で支持レバーが回転可能に取り付けられたハウジングと、回転可能に取り付けられた制御レバーを有し、支持レバーと制御レバーは、間隔を空けた回転軸を介してアタッチメント上のフラップで連結される。本発明は本体上に保持されたフラップを有する家具に関する。
【背景技術】
【０００２】
国際公開2009/060723号は、家具本体の開き時に閉じ位置から開き位置に回転可能なフラップ取付け具を開示し、フラップは、上縁を有する垂直位置から前方に回転して、家具本体の開口部を解放する。このタイプの回転動作は有利である、何故ならユーザはフラップの下部領域に立つことができ、垂直軸の周りの回転運動を行うドアの場合のように、開き動作中にフラップを回避する必要はないからである。この場合、ダンパがフラップ取付け具のハウジングに配備されて、フラップの閉じ又は開き動作を減衰する。この場合、家具本体上のハウジングは比較的大きな取付け空間量を必要とするので不利である。
【０００３】
従って、本発明の目的は、快適な操作性を確実にし、コンパクトに構成されたフラップ取付け具を提供することにある。
この目的は、請求項１の特徴を有するフラップ取付け具によって達成される。
【発明の概要】
【課題を解決するための手段】
【０００４】
本発明に従ったフラップ取付け具において、回転軸を介して支持レバーと制御レバーが連結されたアタッチメントが提供される。ダンパがアタッチメントに設けられて、該ダンパは最大開き位置に達する前のフラップの開き動作中に、支持レバー及び/又は制御レバーの動作を介して作動可能である。従って、アタッチメントの設置空間を使用して開き減衰を提供し、該開き減衰は開き動作中に大きな衝撃音を回避することで取り扱いを改善する。最大開き位置に達する直前に、例えば開き位置の４ｃｍから８ｃｍの間の範囲で、ダンパは、開き動作を減速して、取付け部品の機械的歪みを軽減し、衝撃音を回避する。この場合、本体に固定されたフラップ取付け具の一部はコンパクトに形成される、何故なら開き減衰はアタッチメントのダンパを介して少なくとも部分的に実行されるからである。
【０００５】
本発明の１つの構成において、ダンパは線形ダンパに構成されて、ダンパハウジングとダンパハウジング内に引き込み可能又はダンパハウジングから延びることができるピストンロッドを備えている。ダンパは、例えば、減衰流体として油圧油を有する流体ダンパとして動作することができ、その結果、高い減衰力を提供することができる。この場合、閉じ手順の後に、ダンパが再び次の減衰手順を準備すべく、ダンパはばねを介して延び位置に予め張力を掛けられる。
【０００６】
ダンパの横方向の力を回避すべく、ガイドがアタッチメントに設けられて、ガイドに沿ってダンパは引込み可能又は延び可能である。ガイドは例えば、ピンがガイドされるアタッチメント上の長孔によって形成される。
アタッチメントは、例えばダンパが収容されるＵ字形鋼板を含み、該鋼板上に支持レバーと制御レバーを連結して取り付けるための回転軸が形成される。或いは、アタッチメントは多数の部品にて具体化される。
【０００７】
支持レバー又は制御レバー上に作動面又は接触面が配置され、該作動面又は接触面はダンパユニットの作動面又は接触面をフラップ取付け具の所定の角度位置から押圧する。ダンパユニットは例えば、２つの作動面を有し、閉じ動作時に第１の作動面によって作動され、開き動作時に第２の作動面によって作動され、これにより１つのダンパユニットで開き減衰と閉じ減衰が生じる。
【０００８】
本発明に従ったフラップ取付け具において、支持レバーは、歯車を介して制御レバーに結合される。この目的から、支持レバーは、回転動作中に第１歯車を駆動し、第２歯車を直接又は間接的に駆動し、制御レバーは、第２歯車の回転軸から間隔を空けて第２歯車に回転可能に取り付けられている。開閉中のフラップの回転動作は、制御レバーの回転軸の可動な取付けにより最適化される。特に、開き動作の開始時におけるフラップの水平動作は小さく保たれ、フラップは、動作後大凡垂直上方に回転し、上部領域は、フラップ取付け具から離れて前方に回転する。歯車を介して支持レバーと制御レバーを連結することにより、正確な案内が確保される。
【０００９】
力蓄積器が設けられるのが好ましく、該力蓄積器はフラップの閉じ位置にて閉じ方向に予め張力を掛け、死点を超えた後のフラップの開き範囲で開き方向に予め張力を掛ける。動作の快適性が向上する、何故ならユーザは開閉動作の開始時に力を加えるだけでよく、フラップは死点を超えた後に自動的に開閉できるからである。開き動作及び閉じ動作の両方は、少なくとも１つの端部領域にて減衰される。
【図面の簡単な説明】
【００１０】
本発明は添付の図面を参照して実施形態例に基づいて以下に詳細に説明される。
【図１】本発明に従ったフラップ取付け具を有する家具の斜視図である。
【図２】フラップ取付け具を有するフロントパネルの斜視図である。
【図３Ａ】開いたフラップを有する図１の家具の図である。
【図３Ｂ】開いたフラップを有する図１の家具の図である。
【図４Ａ】閉じ位置におけるフラップ取付け具の図である。
【図４Ｂ】閉じ位置におけるフラップ取付け具の図である。
【図５】一部を除去したハウジングを有するフラップ取付け具の図であり、閉じ位置を示す。
【図６】異なる位置におけるフラップ取付け具の図である。
【図７】異なる位置におけるフラップ取付け具の図である。
【図８】異なる位置におけるフラップ取付け具の図である。
【図９】開き位置におけるフラップ取付け具の図である。
【図１０Ａ】閉じ位置におけるフラップ取付け具のアタッチメントの詳細図である。
【図１０Ｂ】閉じ位置におけるフラップ取付け具のアタッチメントの詳細図である。
【図１１Ａ】開き位置におけるフラップ取付け具とアタッチメントの図である。
【図１１Ｂ】開き位置におけるフラップ取付け具とアタッチメントの図である。
【図１１Ｃ】開き位置におけるフラップ取付け具とアタッチメントの図である。
【図１２】家具の側壁に配置された修正されたフラップ取付け具の図である。
【発明を実施するための形態】
【００１１】
家具１は、例えばキッチンの吊りキャビネット用の家具本体２を含み、図１では後壁が省略されている。家具本体２は前側に回転可能に取り付けられたフラップ３によって閉じられる。ハウジング５を備えるフラップ取付け具４は各場合にてフラップ３を案内すべく家具本体２の両側壁に設置される。各フラップ取付け具４は支持レバー６と制御レバー７を備え、両レバーはアタッチメント９を介してフラップ３に接続される。対向するフラップ取付け具４の２つのアタッチメント９は、ロッド８を介して同期されているため、フラップ取付け具４は、フラップ３の開閉中に大凡同期して動作する。
【００１２】
家具本体２が無いフラップ３を備えたフラップ取付け具４が図２に示される。フラップ取付け具４のハウジング５は２つの側壁５０、５１を備え、両側壁は複数のスペーサ５２を介して互いに離れて配置されている。他の形式のハウジングも、ハウジング５用に使用される。
【００１３】
フラップ３は、図３Ａ及び図３Ｂにて開き位置で示される。フラップ３は、上部が家具本体２から前方に離れて回転し、一方、ハンドル要素(図示せず)が取り付けられているフラップ３の下部領域は、大凡垂直上方に回転される。従って、使用者は、フラップ３の開閉中に僅かな水平方向の動きと大凡垂直方向の動きを実行するだけでよい
【００１４】
フラップ取付け具４は図４Ａ及び図４Ｂにて閉じ位置で示される。支持レバー６及び制御レバー７は、互いに部分的に平行に配置され、フラップ３に取り付けられたアタッチメント９まで大凡垂直方向に延びている。
【００１５】
図５にて、フラップ取付け具４は、ハウジングの側壁５０のない状態で閉じ位置で示されている。支持レバー６は、アタッチメント９の回転軸６１の周りの一端と、ハウジング５に設けられた回転軸６０の周りの反対側に連結されている。ハウジング５上の回転軸１２の周りに回転可能に取り付けられた第２の歯車１１に噛合する第１の歯車１０が、回転軸６０の周りに共同して回転するように、支持レバー６に接続される。
【００１６】
制御レバー７が回転可能に取り付けられる回転軸７０が、第２の歯車１１の回転軸１２から離れて第２の歯車１１上に配備される。制御レバー７は、アタッチメント９の反対側端部の回転軸７１の周りに回転可能に取り付けられている。従って、回転軸７０は、アタッチメント９に保持されているフラップ３の開閉手順中に移動する。
【００１７】
開閉中の重力を部分的に補償するために、３つのばね２１から成る力蓄積器２０が配備され、特に、図示された例示的な実施形態では、第１のばねホルダ２２と第２のばねホルダ２４との間に配置されている牽引ばねである。この場合、第２のばねホルダ２４は、ハウジング５上の締結具２５を介して固定される。ばねホルダ２２は、ロッド２３を介して可動のホルダ１８に接続されている。ホルダ１８には、力蓄積器２０のロッド２３が固定される受け部１９が設けられており、ホルダ１８は力蓄積器２０によって予め張力がかけられている。ホルダ１８は、制御ディスク１５の湾曲ガイド１６に取り付けられたガイド要素１７を備えている。制御ディスク１５は、ハウジング５に設けられた回転軸１４の周りに回転可能に取り付けられている。更に、制御ディスク１５は、第１の歯車１０と係合する第３の歯車１３に共同して回転するように結合されている。
【００１８】
「歯車」の語は、外側に歯を有する回転ディスクを意味するように理解され、外側の歯は、全周又は円周の一部のみに交互に延びている。或いは歯付き部分、内側の歯、または他の要素を歯車として使用でき、その歯は、隣接する歯車との形状嵌合係合のために配備される。
【００１９】
更にハウジング５上に線形ダンパとして、特に流体、液体又は空気ダンパとして構成されたダンパ３０が配備され、該ダンパはハウジング５上の締結要素３１上に保持されて、圧縮時に減衰力を生成するピストンシリンダユニットを備える。締結要素３１とは反対側には、接触面３２が設けられており、これは例えばホルダ１８上の作動要素３３と接触する接触ローラである。
【００２０】
開き手順のために、フラップ３の下部領域に配置されたハンドルがユーザによって作動されて、フラップ３を前方及び上方に動かす。フラップ３は、僅かに開いた位置で図６に示されている。フラップ３は閉じ位置の範囲で閉じ方向に予め張力がかけられているので、力蓄積器２０は開き動作の開始時に更に張力を掛けられる。死点を超えた後に、力蓄積器２０はフラップ３の開き方向への動作を手助けする。
【００２１】
図７に示すように、フラップ３が更に開き方向に動かされると、支持レバー６は回転軸６０を中心に回転し、制御レバー７も回転可能な歯車１１に配置された回転軸７０を中心に回転する。閉じ位置(図５)から図７の位置まで、歯車１１は大凡９０°回転し、回転軸７０も変位する。この場合、歯車１０及び１１は係合し、その結果、２つの支持レバー６及び制御レバー７は、ハウジング５の領域及びアタッチメント９の両方で互いに結合される。制御ディスク１５を回転させる第３の歯車１３も、歯車１０の回転によって駆動される。制御ディスク１５を回転させることにより、湾曲ガイド１６が動かされ、死点を超えた後の開き動作中に力蓄積器２０のばね２１の収縮を可能にし、力蓄積器２０は、開き手順を手助けする。
【００２２】
図８に従って、フラップ３は更に開き方向に動かされ、フラップ３の上端は前方且つ上方に突出している。フラップの下部領域は、家具本体２の開きの直前に大凡垂直に上方に移動する。
【００２３】
フラップ取付け具４の最大開き位置が、図９に示される。フラップ３は、水平に対して僅かに例えば１０°から２０°の範囲で傾斜しており、家具本体２の開口領域を大きく露出させている。最大開き位置に到達する前に、例えば、アタッチメント９に配置されたダンパによって開き動作を減速させる。或いは又は更に、ダンパ３０はハウジング５に配備され、図８に示すように、ホルダ１８上の作動要素３３によって圧縮される。
閉じ動作では、ユーザは図５に示すように、フラップ３が再び閉じ位置に配置されるまで、力蓄積器２０の力に抗してフラップ３を下に引く。
【００２４】
示された実施形態例において、ハウジング５に３つの歯車１０、１１及び１３が配置される。所定の伝達比を有する歯車をハウジング５内に付与し、力蓄積器２０の引っ張り及び解放をフラップ３の重量及び他のパラメータに一層強く適合させることも可能である。
【００２５】
フラップ３の閉じ位置(図５)におけるアタッチメント９の領域が図１０Ａ及び図１０Ｂに示される。アタッチメント９は、Ｕ字形の曲げ鋼板から形成され、両側壁にピン９１が案内される長孔の形のガイド９０を備える。断面図から認識されるように、円筒状のダンパハウジング９２と、ダンパハウジング９２上に変位可能に保持されたピストンロッド９３とを含むダンパ９６が、アタッチメント９の内側に配置されている。ピストンロッド９３はホルダ９４を介してアタッチメント９に連結されている。更に、支持レバー６の回転軸６１と制御レバー７の回転軸７１が、アタッチメント９に設けられている。
【００２６】
作動要素７２が回転軸７１に隣接して制御レバー７上に位置し、作動要素７２は曲げ形状(angle)に形成されて、作動ローラ７３又は作動要素が配備された作動突起を備える。
【００２７】
フラップ３が閉じ位置から開き位置に移動すると、フラップ取付け具４は最大開き位置に達する直前に図１１Ａ乃至１１Ｃに示す位置に達する。フラップ３の開き動作中、支持レバー６と制御レバー７の移動により、アタッチメント９が回転し、作動要素７２は、作動ローラ７３とともにアタッチメント９の前部領域に対向する。この場合、作動ローラ７３は、ガイド９０に移動可能に取り付けられたピン９１に接触することができる。フラップ３を更に開き方向に回転させる動作中に、作動要素７２の作動ローラ７３はピン９１及び圧縮されるダンパ９６を押し、ピストンロッド９３はダンパハウジング９２内に引き込まれる。ダンパ９６は従って、フラップ３の開き動作を減速する。ダンパは、例えばオイルのような減衰流体を有する油圧ダンパとして、又は空気ダンパとして形成され得る。ダンパ９６は、延び位置でばね(図示せず)を介して予め張力をかけられ、閉じ動作時にダンパ９６はばねを介して延び位置に戻され、次の減衰に使用可能となる。
【００２８】
開き減衰について、例示的な実施形態ではダンパ９６はダンパ３０とともに使用される。ダンパ９６のみを使用し、ハウジング上のダンパ３０を無しで済ますことも可能である。ダンパ９６は、フラップ３によって形成される平面に平行な長手方向軸を有するように整列される。更にダンパ９６の位置は、ダンパ９６の動作範囲を設定する機構を介して調整可能である。
【００２９】
ここで記載されたフラップ取付け具は、単なる例として理解される。ダンパを直接または間接的に作動させるために、アタッチメント上の支持レバー及び/又は制御レバー間の連結構造が重要である。示されているフラップ取付け具は、４節リンケージとして形成されており、支持レバーと制御レバーがフラップ取付け具の本体に直接接続されている。例えば７節リンケージのような他の連結構成も考えられる。この場合、支持レバー及び/又は制御レバーはアタッチメント上に配置され、主本体に間接的に接続される。
【００３０】
図１乃至図９の各々において、フラップ取付け具４は家具本体２の側壁の内側に締結される。図１２にて、フラップ取付け具４は内側に一体化されず、家具本体２の側壁に一体化されている。この目的から、側壁は例えば木材から作られた板形状のコア材８０を備え、コア材の隣にはフラップ取付け具４のハウジング５が配置され、ハウジングはコア材８０の全幅に亘って、又はコア材８０の幅の一部にのみ延びるコア材８０の開口部に亘って配置される。ハウジング５及びコア材８０は、外側が外側層８１によって覆われ、内側が内側層８２を介して覆われ、外側層８１及び内側層８２はまた、例えばフィルムまたは装飾層から、構造的に同等のものとして付随的に具体化され得る。示された例示的な実施形態において、内側層８２は、コア材８０及びハウジング５上の固定点を介して固定される。ハウジング５はコア材８０に粘着的に結合され、又は締結手段を介して接続される。家具本体の側壁内のハウジングの配置により、支持レバー６及び制御レバー７が前方に突出したときにのみ、開いたフラップ３を備えた端部から視認できる。
【符号の説明】
【００３１】
１    家具
２    家具本体
３    フラップ
４    フラップ取付け具
５    ハウジング
６    支持レバー
７    制御レバー
８    ロッド
９    アタッチメント
１０  歯車
１１  歯車
１２  回転軸
１３  歯車
１４  回転軸
１５  制御ディスク
１６  湾曲ガイド
１７  ガイド要素
１８  ホルダ
１９  受け部
２０  力蓄積器
２１  ばね
２２  ばねホルダ
２３  ロッド
２４  ばねホルダ
２５  締結具
３０  ダンパ
３１  締結要素
３２  接触面
３３  作動要素
５０  側壁
５１  側壁
５２  スペーサ
６０  回転軸
６１  回転軸
７０  回転軸
７１  回転軸
７２  作動要素
７３  作動ローラ
８０  コア材
８１  外側層
８２  内側層
８３  締結点
９０  ガイド
９１  ピン
９２  ダンパハウジング
９３  ピストンロッド
９４  ホルダ
９６  ダンパ
【図１】
2020525683.tif 000003
【図２】
2020525683.tif 000004
【図３Ａ】
2020525683.tif 000005
【図３Ｂ】
2020525683.tif 000006
【図４Ａ】
2020525683.tif 000007
【図４Ｂ】
2020525683.tif 000008
【図５】
2020525683.tif 000009
【図６】
2020525683.tif 000010
【図７】
2020525683.tif 000011
【図８】
2020525683.tif 000012
【図９】
2020525683.tif 000013
【図１０Ａ】
2020525683.tif 000014
【図１０Ｂ】
2020525683.tif 000015
【図１１Ａ】
2020525683.tif 000016
【図１１Ｂ】
2020525683.tif 000017
【図１１Ｃ】
2020525683.tif 000018
【図１２】
2020525683.tif 000019
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
本体(２)上に配置される家具用のフラップ取付け具(４)であって、
支持レバー(６)が間接又は直接に回転可能に取り付けられた主本体と、回転可能に取り付けられた制御レバー(７)を備え、支持レバー(６)と制御レバー(７)は間隔を空けた回転軸(６１、７１)を介してアタッチメント(９)上のフラップ(３)で連結され、それによってダンパ(９６)がアタッチメント(９)上に配置され、該ダンパはダンパハウジング(９２)とダンパハウジング(９２)上に変位可能に保持されるピストンロッド(９３)を有する線形ダンパに形成されて、且つ該ダンパはフラップの開き動作時に最大開き位置に達する前に、支持レバー(６)及び/又は制御レバー(７)の動作を介して作動される、フラップ取付け具(４)において、
アタッチメントは、フラップ(３)を調整する調整具を備えた、フラップ取付け具(４)。
【請求項２】
ダンパ(９６)は、ばねによって延びた位置に予め張力を掛けられている、請求項１に記載のフラップ取付け具。
【請求項３】
アタッチメント(９)上にガイド(９０)が設けられ、ダンパ(９６)はガイド(９０)に沿って引込み可能又は延びることが可能である、請求項１又は２に記載のフラップ取付け具。
【請求項４】
ガイド(９０)は、ガイド要素(９１)が案内される長孔又は溝をアタッチメント(９)上に備える、請求項３に記載のフラップ取付け具。
【請求項５】
アタッチメント(９)は、ダンパ(９６)が収容されるＵ字形の鋼板を備える、請求項１乃至４の何れかに記載のフラップ取付け具。
【請求項６】
力蓄積器(２０)が設けられ、該力蓄積器はフラップ(３)の閉じ位置にて閉じ方向に予め張力を掛け、フラップ(３)の開き範囲で開き方向に予め張力を掛ける、請求項１乃至５の何れかに記載のフラップ取付け具。
【請求項７】
ダンパ(９６)は、フラップ(３)の閉じ動作中に最大閉じ位置に達する前に、支持レバー(６)及び/又は制御レバー(７)の動きを介して間接又は直接にアタッチメント(９)上で作動する、請求項１乃至６の何れかに記載のフラップ取付け具。
【請求項８】
支持レバー及び/又は制御レバー上に作動面が配置され、該作動面はダンパユニットの作動面をフラップ取付け具の所定の角度位置から押圧する、請求項１乃至７の何れかに記載のフラップ取付け具。
【請求項９】
ダンパユニットは２つの作動面を備える、請求項８に記載のフラップ取付け具。
【請求項１０】
ダンパユニットは閉じ動作時に第１の作動面によって作動され、開き動作時に第２の作動面によって作動される、請求項９に記載のフラップ取付け具。
【請求項１１】
ダンパ(９６)はフラップ(３)の長手方向/ピストン軸に沿って、フラップ(３)の後部と平行に配列された、請求項１乃至１０の何れかに記載のフラップ取付け具。
【請求項１２】
ダンパ(９６)の位置は、ダンパの動作範囲を設定すべく調整可能である、請求項１乃至１１の何れかに記載のフラップ取付け具。
【請求項１３】
支持レバー及び/又は制御レバーの少なくとも１つの作動面の位置は、ダンパ(９６)の動作範囲を設定すべく調整可能である、請求項８乃至１０の何れかに記載のフラップ取付け具。
【請求項１４】
請求項１乃至１３の何れかのフラップ取付け具(４)の少なくとも２つを介して、フラップ(３)が保持される家具本体(２)を有する家具。
【国際調査報告】
2020525683.tif 000020
2020525683.tif 000021
2020525683.tif 000022
2020525683.tif 000023